(57)【特許請求の範囲】
【請求項１】
伝送されたデータである、複数のチャンネルの番組のデータを多重化した多重化データと、前記多重化データに付加される制御情報を復調する復調手段と、
復調された前記制御情報全体のうちの、前記データの伝送に関するパラメータと前記多重化データの多重に関するパラメータとを含む連続するビットにより構成される一部のデータを抽出して記憶部に記憶させる抽出手段と、
前記復調手段により復調された前記多重化データに多重化されているデータを分離する分離手段と
を備え、
前記復調手段は、チャンネルが切り替えられる毎に前記記憶部から出力された前記データの伝送に関するパラメータに従って復調を行い、
前記分離手段は、チャンネルが切り替えられる毎に前記記憶部から出力された前記多重に関するパラメータに従ってデータの分離を行う
受信装置。
【請求項２】
前記制御情報は、ARIB STD-B44で規定されるTMCC情報であり、
前記一部のデータは、前記TMCC情報に含まれる伝送モード／スロット情報である
請求項１に記載の受信装置。
【請求項３】
前記抽出手段は、前記制御情報の先頭から、抽出対象の区間を順次スライドさせて前記一部のデータの抽出を行う
請求項１または２に記載の受信装置。
【請求項４】
前記抽出手段は、前記制御情報全体のうちの指定された位置に続く、指定された情報量の範囲のデータを前記一部のデータとして抽出する
請求項１または２に記載の受信装置。
【請求項５】
復調された前記制御情報の誤り訂正を行う誤り訂正手段をさらに備え、
前記抽出手段は、誤り訂正が行われた前記制御情報全体から、前記一部のデータを抽出する
請求項１乃至４のいずれかに記載の受信装置。
【請求項６】
伝送されたデータである、複数のチャンネルの番組のデータを多重化した多重化データと、前記多重化データに付加される制御情報を復調し、
復調した前記制御情報全体のうちの、前記データの伝送に関するパラメータと前記多重化データの多重に関するパラメータとを含む連続するビットにより構成される一部のデータを抽出して記憶部に記憶させ、
チャンネルが切り替えられる毎に前記記憶部から出力された前記データの伝送に関するパラメータに従って前記多重化データと前記制御情報を復調し、
前記多重化データに多重化されているデータを分離することを、チャンネルが切り替えられる毎に前記記憶部から出力された前記多重に関するパラメータに従って行う
ステップを含む処理をコンピュータに実行させるプログラム。
【発明の詳細な説明】
【技術分野】
【０００１】
本発明は、受信装置、およびプログラムに関し、特に、データに付加されている制御情報を効率的に処理することができるようにした受信装置、およびプログラムに関する。
【背景技術】
【０００２】
衛星デジタル放送システムの送信側の装置においては、番組の動画などの動画のデータを送信する場合、動画データをMPEGなどの符号化方式で符号化し、誤り訂正符号化処理を施して送信することが行われる。動画データには、送信時のパラメータを格納した、TMCC(Transmission and Multiplexing Configuration Control)情報と呼ばれる伝送と多重に関する情報が付加される。
【０００３】
TMCC情報は、テレビジョン受像機やテレビ機能を有する携帯端末などの受信側の装置において受信データを正しく復調、再生する際に必要になる。例えば、受信側の装置においては、復号されたTMCC情報がレジスタに記憶され、必要なときにTMCC情報全体が一括して読み出されて参照される。
【先行技術文献】
【非特許文献】
【０００４】
【非特許文献１】「高度広帯域衛星デジタル放送の伝送方式」、ARIB STD-B44  1.0版  平成21年7月29日策定、社団法人  電波産業会、<URL:http://www.arib.or.jp/english/html/overview/doc/2-STD-B44v1_0.pdf>
【発明の概要】
【発明が解決しようとする課題】
【０００５】
動画データの高画質化、高品質化等により、TMCC情報の情報量も増加している。例えば、衛星デジタル放送用の規格であるISDB-S1においてはTMCC情報の情報量は384ビットであったが、ISDB-S2では9422ビットまで拡張されている（非特許文献１）。
【０００６】
TMCC情報の処理の仕方としては、上述したようにTMCC情報全体をレジスタに記憶させておき、必要なときに一度に読み出すのが一般的であるが、情報量の増加によって、TMCC情報を記憶しておき、読み出しを行う回路自体が大きくなる傾向にある。回路のコストについても無視できないものになりつつある。
【０００７】
約１万ビットまで拡張されたTMCC情報のビットの多くは予備のビットであり、全てを記憶し、読み出す必要は現時点では無い。
【０００８】
本発明はこのような状況に鑑みてなされたものであり、データに付加されている制御情報を効率的に処理することができるようにするものである。
【課題を解決するための手段】
【０００９】
本発明の一側面の受信装置は、伝送されたデータである、複数のチャンネルの番組のデータを多重化した多重化データと、前記多重化データに付加される制御情報を復調する復調手段と、復調された前記制御情報全体のうちの、前記データの伝送に関するパラメータと前記多重化データの多重に関するパラメータとを含む連続するビットにより構成される一部のデータを抽出して記憶部に記憶させる抽出手段と、前記復調手段により復調された前記多重化データに多重化されているデータを分離する分離手段とを備え、前記復調手段は、チャンネルが切り替えられる毎に前記記憶部から出力された前記データの伝送に関するパラメータに従って復調を行い、前記分離手段は、チャンネルが切り替えられる毎に前記記憶部から出力された前記多重に関するパラメータに従ってデータの分離を行う。
【００１３】
前記制御情報は、ARIB STD-B44で規定されるTMCC情報であり、前記伝送に関するパラメータと前記多重に関するパラメータは、前記TMCC情報に含まれる伝送モード／スロット情報であるようにすることができる。
【００１４】
前記抽出手段には、前記制御情報の先頭から、抽出対象の区間を順次スライドさせて前記一部のデータの抽出を行わせることができる。
【００１５】
前記抽出手段には、前記制御情報全体のうちの指定された位置に続く、指定された情報量の範囲のデータを前記一部のデータとして抽出させることができる。
【００１６】
復調された前記制御情報の誤り訂正を行う誤り訂正手段をさらに設けることができる。この場合、前記抽出手段には、誤り訂正が行われた前記制御情報全体から、前記一部のデータを抽出させることができる。
【００１９】
本発明の一側面のプログラムは、伝送されたデータである、複数のチャンネルの番組のデータを多重化した多重化データと、前記多重化データに付加される制御情報を復調し、復調した前記制御情報全体のうちの、前記データの伝送に関するパラメータと前記多重化データの多重に関するパラメータとを含む連続するビットにより構成される一部のデータを抽出して記憶部に記憶させ、チャンネルが切り替えられる毎に前記記憶部から出力された前記データの伝送に関するパラメータに従って前記データと前記制御情報を復調し、前記多重化データに多重化されているデータを分離することを、チャンネルが切り替えられる毎に前記記憶部から出力された前記多重に関するパラメータに従って行うステップを含む処理をコンピュータに実行させる。
【００２０】
本発明の一側面においては、伝送されたデータである、複数のチャンネルの番組のデータを多重化した多重化データと、前記多重化データに付加される制御情報が復調される。また、復調された前記制御情報全体のうちの、前記データの伝送に関するパラメータと前記多重化データの多重に関するパラメータとを含む連続するビットにより構成される一部のデータが抽出されて記憶部に記憶され、チャンネルが切り替えられる毎に前記記憶部から出力された前記データの伝送に関するパラメータに従って前記多重化データと前記制御情報が復調される。さらに、前記多重化データに多重化されているデータを分離することが、チャンネルが切り替えられる毎に前記記憶部から出力された前記多重に関するパラメータに従って行われる。
【発明の効果】
【００２１】
本発明によれば、データに付加されている制御情報を効率的に処理することができる。
【図面の簡単な説明】
【００２２】
【図１】本発明の一実施形態に係る受信装置の構成例を示すブロック図である。
【図２】抽出回路による情報の抽出の例を示す図である。
【図３】抽出回路による情報の抽出の他の例を示す図である。
【図４】受信装置の動作について説明するフローチャートである。
【図５】受信装置の他の構成例を示すブロック図である。
【図６】抽出回路による情報の抽出のさらに他の例を示す図である。
【図７】受信システムの第１実施の形態の構成例を示すブロック図である。
【図８】受信システムの第２実施の形態の構成例を示すブロック図である。
【図９】受信システムの第３実施の形態の構成例を示すブロック図である。
【図１０】コンピュータの構成例を示すブロック図である。
【発明を実施するための形態】
【００２３】
［受信装置の構成例］
図１は、本発明の一実施形態に係る受信装置の構成例を示すブロック図である。
【００２４】
受信装置１は、例えば、デジタル衛星放送の番組のデータ（画像と音声）を復調し、再生する装置である。受信装置１により再生された番組の画像と音声は、受信装置１に接続された表示装置２から出力される。図１の例においては、受信装置１が表示装置２の外部に設けられているが、表示装置２内に設けられるようにしてもよい。
【００２５】
受信装置１が受信するデジタル衛星放送は、例えば、ARIB STD-B44規格の高度広帯域衛星デジタル放送である。ARIB STD-B44規格の高度広帯域衛星デジタル放送においては、番組の画像データはMPEGなどの所定の符号化方式で符号化されており、複数のチャンネルの番組のデータが多重化されて放送が行われる。複数のチャンネルの番組のデータが多重化された多重化データには、伝送と多重に関する制御情報であるTMCC情報が付加されている。
【００２６】
受信装置１は、A/D変換回路１１−１，１１−２、デジタル復調回路１２、誤り訂正復号回路１３、速度調整用バッファ１４、およびMPEGデコーダ１５から構成される。図示せぬアンテナにおいて受信された変調信号はA/D変換回路１１−１，１１−２に入力される。
【００２７】
A/D変換回路１１−１は、入力された変調信号に対してA/D変換を施し、同相成分（Ｉチャンネル）のデジタル信号を出力する。A/D変換回路１１−２は、入力された変調信号に対してA/D変換を施し、直交成分（Ｑチャンネル）のデジタル信号を出力する。
【００２８】
デジタル復調回路１２は、A/D変換回路１１−１とA/D変換回路１１−２から供給されたデジタル信号に対してデジタル復調処理を施し、デジタル復調処理によって生成された同相成分のデータと直交成分のデータを出力する。デジタル復調回路１２によるデジタル復調処理は、誤り訂正復号回路１３の抽出回路３３から供給されたパラメータに従って行われる。
【００２９】
後述するように、抽出回路３３からは、TMCC情報に含まれるパラメータである伝送モード／スロット情報のうちの、伝送主信号（多重化データの信号）の変調方式を表す情報と、誤り訂正内符号化の符号化率を表す情報が供給される。抽出回路３３から供給された変調方式を表す情報は、例えば、デジタル復調処理の復調方式を決定するためにデジタル復調回路１２により用いられる。また、符号化率を表す情報は、例えば、IQ平面上における信号点配置を決定するためにデジタル復調回路１２により用いられる。
【００３０】
誤り訂正復号回路１３は、誤り訂正回路３１、TMCC復号回路３２、および抽出回路３３から構成される。デジタル復調回路１２から出力された同相成分のデータと直交成分のデータは誤り訂正回路３１とTMCC復号回路３２にそれぞれ入力される。
【００３１】
誤り訂正回路３１は、デジタル復調回路１２から供給された同相成分のデータと直交成分のデータに基づいて伝送主信号としての多重化データを生成し、多重化データの誤り訂正を行う。ARIB STD-B44規格の高度広帯域衛星デジタル放送においては、所定の単位毎の多重化データに対して、内符号としてLDPC符号が付加され、外符号としてBCH符号が付加されている。誤り訂正回路３１においては、それらの誤り訂正符号を用いて多重化データの誤り訂正が行われる。誤り訂正回路３１は、誤り訂正後の多重化データを速度調整用バッファ１４に出力する。
【００３２】
TMCC復号回路３２は、デジタル復調回路１２から供給された同相成分のデータと直交成分のデータに基づくTMCC情報の生成と、TMCC情報の誤り訂正を復号処理として行う。
【００３３】
TMCC情報は所定の単位毎に分割して伝送されてくる。また、TMCC情報に対しては、多重化データと同様に、内符号としてLDPC符号が付加され、外符号としてBCH符号が付加されている。TMCC復号回路３２は、分割して伝送されてくる情報を集めることによってTMCC情報を生成し、誤り訂正符号を用いて、生成したTMCC情報の誤り訂正を行う。
【００３４】
TMCC復号回路３２は、誤り訂正後のTMCC情報を出力する。TMCC情報に付加されている誤り訂正符号はTMCC情報全体の誤り訂正に用いられるものであるから、TMCC復号回路３２においては、TMCC情報全体が生成され、その全体の誤り訂正が終了したタイミングで、例えば先頭の情報から順次出力される。TMCC情報は所定の周期で伝送されており、TMCC復号回路３２からは、TMCC情報が繰り返し出力される。
【００３５】
抽出回路３３は、TMCC復号回路３２から供給されたTMCC情報全体のうちの一部の情報を抽出して記憶する。抽出回路３３には、TMCC情報全体から抽出した一部の情報を記憶するレジスタが設けられている。
【００３６】
図２は、抽出回路３３による情報の抽出の例を示す図である。
【００３７】
図２に示すように、TMCC情報の全体の情報量は9422ビットである。TMCC情報には、8ビットの変更指示、192ビットの伝送モード／スロット情報、128ビットの相対ストリーム情報１（ストリーム種別／相対ストリーム情報）、896ビットの相対ストリーム情報２（パケット形式／相対ストリーム情報）が含まれる。また、TMCC情報には、3840ビットのポインタ／スロット情報、480ビットの相対スロット情報（相対ストリーム／スロット情報）、256ビットのID対応情報（相対ストリーム／伝送ストリームID対応情報）、8ビットの送受信制御情報、3614ビットの拡張情報が含まれる。
【００３８】
TMCC情報に含まれる伝送モード／スロット情報は、伝送主信号の変調方式を示す情報、誤り訂正内符号化の符号化率を示す情報、衛星出力バックオフを示す情報、および、割り当てスロット数を示す情報から構成される。伝送主信号の変調方式を示す情報、誤り訂正内符号化の符号化率を示す情報、および衛星出力バックオフを示す情報が伝送に関するパラメータに相当し、割り当てスロット数を示す情報が多重に関するパラメータに相当する。
【００３９】
伝送主信号はスロットと呼ばれる所定の単位の信号が複数集められることによって形成されており、割り当てスロット数を示す情報は、どのチャンネルの番組のデータがどのスロットに割り当てられているのかを表す。
【００４０】
抽出回路３３は、先頭のビットから順に供給されるTMCC情報全体から、斜線を付して示す伝送モード／スロット情報を抽出し、レジスタに記憶する。伝送モード／スロット情報は、伝送されてきた多重化データに基づいて番組の画像を表示するのに最低限必要な情報である。TMCC復号回路３２から供給されたTMCC情報のうちの伝送モード／スロット情報以外の情報は、例えば抽出回路３３において消去される。
【００４１】
抽出回路３３は、レジスタに記憶した伝送モード／スロット情報に含まれるパラメータのうち、伝送主信号の変調方式を示す情報と、誤り訂正内符号化の符号化率を示す情報を前段のデジタル復調回路１２に出力する。また、抽出回路３３は、割り当てスロット数を示す情報を速度調整用バッファ１４に出力する。TMCC情報のパラメータを出力することは、例えば、受信チャンネルを切り替える毎に行われる。
【００４２】
これにより、TMCC情報全体をレジスタに記憶しておき、チャンネルの切り替えが指示されたときなどのタイミングで一括して読み出し、出力する場合に較べてレジスタの容量を小さくすることができ、回路規模を小さくすることが可能になる。また、TMCC情報全体のうち、番組の画像の表示に必要な情報だけを読み出すことになるため、情報の読み出しを効率的に行うことが可能になる。
【００４３】
伝送主信号の変調方式を示す情報と誤り訂正内符号化の符号化率を示す情報だけでなく、伝送モード／スロット情報に含まれる他のパラメータがデジタル復調回路１２に出力されるようにしてもよい。また、割り当てスロット数を示す情報だけでなく、伝送モード／スロット情報に含まれる他のパラメータが速度調整用バッファ１４に出力されるようにしてもよい。
【００４４】
図３は、抽出回路３３による情報の抽出の他の例を示す図である。
【００４５】
抽出回路３３は、位置を順次スライドさせて固定幅のウインドウＷを設定し、ウインドウＷ内の範囲に対応する情報をTMCC情報全体から抽出する。抽出回路３３は、ウインドウＷを設定することによって一部の情報を抽出する毎に、抽出した情報を、そのとき記憶されている情報（直前の時刻に抽出された情報）に上書きする形でレジスタに記憶させる。
【００４６】
図３の例においては、TMCC情報のうちの一部の情報である情報Ｄ１が時刻ｔ１に抽出され、情報Ｄ２が時刻ｔ２に抽出されている。また、情報Ｄ３が時刻ｔ３に抽出され、情報Ｄ４が時刻ｔ４に抽出されている。情報Ｄ５が時刻ｔ５に抽出され、情報Ｄ６が時刻ｔ６に抽出されている。
【００４７】
ウインドウＷの幅（情報量）は、例えば、伝送モード／スロット情報の情報量以上であって、TMCC情報全体の情報量より少ない9421ビット以下の幅とされる。抽出回路３３は、伝送モード／スロット情報をレジスタに記憶させたとき、レジスタから伝送モード／スロット情報を読み出し、伝送モード／スロット情報に含まれるパラメータを上述したようにしてデジタル復調回路１２と速度調整用バッファ１４に出力する。
【００４８】
図２に示すように同じ情報を常に読み出すのではなく、図３に示すように、位置をずらして異なる情報を順次読み出すことによっても、TMCC情報全体をレジスタに記憶しておく場合と較べて回路規模を小さくすることが可能になる。
【００４９】
図１の説明に戻り、速度調整用バッファ１４は、誤り訂正復号回路１３の誤り訂正回路３１から供給された多重化データを構成するTSパケットを記憶する。速度調整用バッファ１４は、抽出回路３３から供給された割り当てスロット数を示す情報に基づいて受信チャンネルの番組のデータを格納するTSパケットを分離する。速度調整用バッファ１４は、送信側のデータレートと同じレートになるようにレートを調整して、分離したTSパケットを出力する。
【００５０】
MPEGデコーダ１５は、速度調整用バッファ１４から供給されたTSパケットをデコードし、デコードして得られた受信中のチャンネルの番組のデータを表示装置２に出力する。
【００５１】
［受信装置の動作］
ここで、図４のフローチャートを参照して、受信装置１の動作について説明する。
【００５２】
図４に示す各ステップの処理は、適宜、他のステップの処理と並行して、または前後して行われる。
【００５３】
ステップＳ１において、A/D変換回路１１−１とA/D変換回路１１−２は、入力された変調信号に対してA/D変換を施す。
【００５４】
ステップＳ２において、デジタル復調回路１２は、抽出回路３３から供給されたTMCC情報のパラメータに従って、A/D変換により得られたデジタル信号に対してデジタル復調処理を施す。
【００５５】
ステップＳ３において、誤り訂正復号回路１３の誤り訂正回路３１は、デジタル復調処理によって得られたデータに基づいて多重化データを生成し、多重化データの誤り訂正を行う。
【００５６】
ステップＳ４において、TMCC復号回路３２は、デジタル復調処理によって得られたデータに基づいてTMCC情報の復号処理を行う。すなわち、TMCC復号回路３２は、デジタル復調処理によって得られたデータに基づいてTMCC情報を生成し、生成したTMCC情報の誤り訂正を行う。
【００５７】
ステップＳ５において、抽出回路３３は、誤り訂正が行われたTMCC情報全体のうちの一部の情報を抽出し、レジスタに記憶する。TMCC情報全体から一部の情報を抽出することは、図２または図３を参照して説明したようにして行われる。
【００５８】
ステップＳ６において、抽出回路３３は、伝送モード情報である、伝送主信号の変調方式を示す情報と誤り訂正内符号化の符号化率を示す情報をレジスタから読み出し、デジタル復調回路１２にフィードバックする。
【００５９】
ステップＳ７において、抽出回路３３は、スロット情報である、割り当てスロット数を示す情報をレジスタから読み出し、速度調整用バッファ１４に出力する。
【００６０】
ステップＳ８において、速度調整用バッファ１４は、抽出回路３３から供給された割り当てスロット数を示す情報に基づいて、多重化データを構成するTSパケットから受信チャンネルのデータを格納するTSパケットを分離する。速度調整用バッファ１４は、分離したTSパケットを、送信側のデータレートと同じレートになるようにレートを調整して出力する。
【００６１】
ステップＳ９において、MPEGデコーダ１５は、速度調整用バッファ１４から供給されたTSパケットをデコードし、受信中のチャンネルの番組のデータを表示装置２に出力する。
【００６２】
以上の処理により、TMCC情報の読み出しを効率的に行うことが可能になる。
【００６３】
［変形例］
図５は、受信装置１の他の構成例を示すブロック図である。
【００６４】
図５の受信装置１の構成は、抽出回路３３から表示装置２に対してTMCC情報のパラメータが直接供給される点と、表示装置２からの情報が抽出回路３３に入力される点が図１の構成と異なる。他の構成は上述した構成と同じである。重複する説明については適宜省略する。
【００６５】
抽出回路３３は、信号の経路上で後段の構成となる表示装置２の制御部５１から供給された情報に従って、TMCC情報から抽出する一部の情報の開始位置と範囲を設定する。制御部５１からは、抽出の開始位置を表す情報と範囲を表す情報が供給されてくる。
【００６６】
図６は、抽出回路３３による情報の抽出のさらに他の例を示す図である。
【００６７】
図６において斜線を付して示すように、抽出回路３３により、TMCC情報の所定の位置が抽出開始位置として設定され、その位置から所定の情報量だけ後方の位置までが抽出範囲として設定される。抽出範囲（情報量）は、例えば、伝送モード／スロット情報の情報量である192ビット以上であって、TMCC情報全体より少ない9421ビット以下の範囲とされる。
【００６８】
抽出回路３３は、抽出範囲内の情報をTMCC情報全体から抽出し、抽出した情報を、そのとき記憶されている情報に上書きする形でレジスタに記憶させる。抽出範囲外のTMCC復号回路３２から供給された情報は、例えば抽出回路３３において消去される。
【００６９】
抽出回路３３は、このような指定に従って伝送モード／スロット情報を抽出してレジスタに記憶させたとき、伝送モード／スロット情報に含まれる情報を上述したようにしてデジタル復調回路１２と速度調整用バッファ１４に出力する。
【００７０】
また、抽出回路３３は、制御部５１による指定に従ってTMCC情報全体から抽出した情報を制御部５１に出力する。
【００７１】
表示装置２の制御部５１は、例えば、表示装置２の図示せぬCPUにより所定のプログラムが実行されることによって実現される。制御部５１は、TMCC情報に含まれるパラメータの内容を表示することが表示装置２のユーザにより指示された場合、ユーザにより指示された情報を含む範囲を対象として情報の抽出が行われるように、抽出の開始位置と範囲を指定する情報を抽出回路３３に出力する。制御部５１は、抽出回路３３から供給された情報を表示部５２に出力し、ユーザにより指示された情報の内容を表示する。
【００７２】
これにより、ユーザは、所定のパラメータを指定して、その内容を表示させることができる。この場合においても、TMCC情報全体の読み出しが行われないから、TMCC情報の読み出しを効率的に行わせることが可能になる。
【００７３】
このように、TMCC情報全体から抽出する情報の開始位置と範囲を指定することができるようにすることも可能である。抽出範囲を固定とし、抽出する情報の開始位置だけを指定できるようにしたり、抽出の開始位置を固定とし、抽出範囲だけを指定できるようにしたりすることも可能である。
【００７４】
なお、TMCC情報の先頭位置を抽出の開始位置として指定し、9422ビットを抽出範囲として指定することによって、TMCC情報全体が制御部５１に供給されるようにすることも可能である。この場合、抽出回路３３には、少なくとも9422ビットのデータを記憶することが可能なレジスタが設けられる。
【００７５】
以上においては、抽出回路３３により抽出された情報がデジタル復調回路１２と速度調整用バッファ１４に供給される場合について主に説明したが、TMCC情報に含まれる各パラメータは、MPEGデコーダ１５に供給されるようにしたり、MPEGデコーダ１５より後段の各部に供給されるようにしたりすることも可能である。
【００７６】
また、以上においては、ARIB STD-B44規格の高度広帯域衛星デジタル放送で伝送されるTMCC情報の処理について説明したが、上述したような抽出回路３３による処理は、他の放送システムで伝送される各種の情報の処理にも適用可能である。
【００７７】
［受信システムの構成例］
図７は、受信装置１を適用した受信システムの第１実施の形態の構成例を示すブロック図である。
【００７８】
図７の受信システムは、取得部１０１、伝送路復号処理部１０２、および情報源復号処理部１０３から構成される。
【００７９】
取得部１０１は、地上デジタル放送、衛星デジタル放送、CATV網、インターネットその他のネットワーク等の図示せぬ伝送路を介して信号を取得し、伝送路復号処理部１０２に供給する。
【００８０】
伝送路復号処理部１０２は、取得部１０１が伝送路を介して取得した信号に対して、誤り訂正を含む伝送路復号処理を施し、その結果得られる信号を情報源復号処理部１０３に供給する。
【００８１】
情報源復号処理部１０３は、伝送路復号処理が施された信号に対して、圧縮された情報を元の情報に伸張し、送信対象のデータを取得する処理を含む情報源復号処理を施す。
【００８２】
すなわち、取得部１０１が伝送路を介して取得した信号には、画像や音声等の情報量を少なくするために、情報を圧縮する圧縮符号化が施されていることがある。その場合、情報源復号処理部１０３は、伝送路復号処理が施された信号に対して、圧縮された情報を元の情報に伸張する処理等の情報源復号処理を施す。
【００８３】
なお、取得部１０１が伝送路を介して取得した信号に圧縮符号化が施されていない場合、情報源復号処理部１０３では、圧縮された情報を元の情報に伸張する処理は行われない。ここで、伸張処理としては、例えば、MPEGデコード等がある。また、情報源復号処理には、伸張処理の他、デスクランブル等が含まれることがある。
【００８４】
例えば、図１の受信装置１のA/D変換回路１１−１，１１−２、デジタル復調回路１２、および誤り訂正復号回路１３が伝送路復号処理部１０２に対応し、速度調整用バッファ１４とMPEGデコーダ１５が情報源復号処理部１０３に対応する。
【００８５】
図７の受信システムは、例えば、デジタルテレビジョン放送を受信するテレビチューナ等に適用することができる。なお、取得部１０１、伝送路復号処理部１０２、および情報源復号処理部１０３は、それぞれ、１つの独立した装置（ハードウェア（IC(Integrated Circuit)等））、又はソフトウェアモジュール）として構成することが可能である。
【００８６】
また、取得部１０１、伝送路復号処理部１０２、および情報源復号処理部１０３については、それらの３つのセットを１つの独立した装置として構成することが可能である。取得部１０１と伝送路復号処理部１０２とのセットを１つの独立した装置として構成することも可能であるし、伝送路復号処理部１０２と情報源復号処理部１０３とのセットを１つの独立した装置として構成することも可能である。
【００８７】
図８は、受信装置１を適用した受信システムの第２実施の形態の構成例を示すブロック図である。
【００８８】
図８に示す構成のうち、図７に示す構成と対応する構成については、同一の符号を付してあり、その説明は適宜省略する。
【００８９】
図８の受信システムの構成は、取得部１０１、伝送路復号処理部１０２、および情報源復号処理部１０３を有する点で図７の構成と共通し、出力部１１１が新たに設けられている点で図７の構成と相違する。
【００９０】
出力部１１１は、例えば、画像を表示する表示装置や音声を出力するスピーカであり、情報源復号処理部１０３から出力される信号としての画像や音声等を出力する。すなわち、出力部１１１は、画像を表示し、あるいは、音声を出力する。
【００９１】
図８の受信システムは、例えば、デジタル放送としてのテレビジョン放送を受信するTVや、ラジオ放送を受信するラジオ受信機等に適用することができる。
【００９２】
なお、取得部１０１において取得された信号に圧縮符号化が施されていない場合、伝送路復号処理部１０２が出力する信号が、直接、出力部１１１に供給される。
【００９３】
図９は、受信装置１を適用した受信システムの第３実施の形態の構成例を示すブロック図である。
【００９４】
図９に示す構成のうち、図７に示す構成と対応する構成については同一の符号を付してあり、その説明は適宜省略する。
【００９５】
図９の受信システムの構成は、取得部１０１、および伝送路復号処理部１０２を有する点で図７の構成と共通し、情報源復号処理部１０３が設けられておらず、記録部１２１が新たに設けられている点で図７の構成と相違する。
【００９６】
記録部１２１は、伝送路復号処理部１０２が出力する信号（例えば、MPEGのTSのTSパケット）を、光ディスクや、ハードディスク（磁気ディスク）、フラッシュメモリ等の記録（記憶）媒体に記録する（記憶させる）。
【００９７】
以上のような図９の受信システムは、テレビジョン放送を録画するレコーダ機器等に適用することができる。
【００９８】
なお、情報源復号処理部１０３を設け、情報源復号処理部１０３で情報源復号処理が施された後の信号、すなわち、デコードによって得られる画像や音声を記録部１２１で記録するようにしてもよい。
【００９９】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または汎用のパーソナルコンピュータなどに、プログラム記録媒体からインストールされる。
【０１００】
図１０は、上述した一連の処理をプログラムにより実行するコンピュータのハードウェアの構成例を示すブロック図である。
【０１０１】
CPU(Central Processing Unit)１５１、ROM(Read Only Memory)１５２、RAM(Random Access Memory)１５３は、バス１５４により相互に接続されている。
【０１０２】
バス１５４には、さらに、入出力インタフェース１５５が接続されている。入出力インタフェース１５５には、キーボード、マウスなどよりなる入力部１５６、ディスプレイ、スピーカなどよりなる出力部１５７が接続される。また、入出力インタフェース１５５には、ハードディスクや不揮発性のメモリなどよりなる記憶部１５８、ネットワークインタフェースなどよりなる通信部１５９、リムーバブルメディア１６１を駆動するドライブ１６０が接続される。
【０１０３】
以上のように構成されるコンピュータでは、CPU１５１が、例えば、記憶部１５８に記憶されているプログラムを入出力インタフェース１５５及びバス１５４を介してRAM１５３にロードして実行することにより、上述した一連の処理が行われる。
【０１０４】
CPU１５１が実行するプログラムは、例えばリムーバブルメディア１６１に記録して、あるいは、ローカルエリアネットワーク、インターネット、デジタル放送といった、有線または無線の伝送媒体を介して提供され、記憶部１５８にインストールされる。
【０１０５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０６】
本発明の実施の形態は、上述した実施の形態に限定されるものではなく、本発明の要旨を逸脱しない範囲において種々の変更が可能である。
【符号の説明】
【０１０７】
１  受信装置，  １１−１，１１−２  A/D変換回路，  １２  デジタル復調回路，  １３  誤り訂正復号回路，  １４  速度調整用バッファ，  １５  MPEGデコーダ，  ３１  誤り訂正回路，  ３２  TMCC復号回路，  ３３  抽出回路
【図１】
0005867772.tif 000002
【図２】
0005867772.tif 000003
【図３】
0005867772.tif 000004
【図４】
0005867772.tif 000005
【図５】
0005867772.tif 000006
【図６】
0005867772.tif 000007
【図７】
0005867772.tif 000008
【図８】
0005867772.tif 000009
【図９】
0005867772.tif 000010
【図１０】
0005867772.tif 000011